(57)【要約】【課題】遊技機枠からファール球として遊技者に戻される戻球を遊技者が目で見て確認できるようにする。【解決手段】戻球Ｐ１は、球発射通路１６４から、戻球経路Ｘ１で、戻球取入口部４７、戻球連絡口４８、戻球中継通路９７、戻球通路５７、戻球出口６２、皿球受樋５５、下球取入口１６を経由して下球皿受部１１に排出され、払出球Ｐ２は、球払出装置８１から、払出球経路Ｘ２で、縦樋８４、払出球中継通路９６、横球受台６８、払出球通路５８、払出球出口６３、上球取入口１３を経由して上球皿受部１０に排出されるので、戻球Ｐ１および払出球Ｐ２が同じ時期に横樋５６に排出されても、遊技者が下皿球受部１１に排出された戻球Ｐ１を目で見て戻球Ｐ１の戻りを確認することができる。【選択図】図２
2006102211.tif 000002
【特許請求の範囲】
【請求項１】
遊技機枠の可動枠には遊技盤が取り付けられ、可動枠の裏面には球払出装置が設けられ、可動枠の前面には球皿構造体が前側の横方向に片開き可能に設けられ、閉じられた球皿構造体と可動枠との間には、球を上方の遊技盤の遊技領域に向けて発射する球発射機構と、球発射機構から発射されて遊技領域に到達することなく下方に戻った戻球を取り込む戻球取入口部と、戻球取入口部から可動枠の裏側に排出された戻球および球払出装置から可動枠の裏側に払い出された払出球を遊技盤より下部で誘導する横樋とが配置され、球皿構造体の前面には、遊技に使用する球を入れる上球受皿部と、可動枠の裏側から払出球を上球受皿部に排出する上球取入口と、戻球および払出球を入れる下球受皿部と、可動枠の裏側から戻球を下球受皿部に排出するための下球取入口と、上球受皿部の球を発射する球として球発射機構に供給する球供給口とが設けられ、横樋には、戻球取入口部から可動枠の裏側に排出された戻球を誘導する戻球通路と、球払出装置から可動枠の裏側に払い出された払出球を誘導する払出球通路とが設けられ、球皿構造体の裏面または可動枠の閉じた球皿構造体で塞がれる前壁に横樋の戻球通路から排出される戻球または払出球が上球受皿部から横樋の払出球通路まで満タンとなった後に払出球通路から溢れた払出球を下球受皿部に排出するための下球取入口に排出する皿球受樋が設けられたことを特徴とする遊技機の遊技機枠。
【請求項２】
皿球受樋に下球受皿部から皿球受樋まで戻球または払出球が満タンとなったことを検出する満タン検出機構を設けたことを特徴とする請求項１記載の遊技機の遊技機枠。
【請求項３】
横樋には戻球通路と払出球通路とが隔壁で区分され、戻球通路の戻球を流下させる面が払出球通路の払出球を流下させる面よりも下方に位置するように、隔壁が段差として形成されたことを特徴とする請求項１記載の遊技機の遊技機枠。
【請求項４】
横樋には球払出装置から排出される払出球を払出球通路に向けて誘導する横球受台が着脱可能に取り付けられたことを特徴とする請求項１記載の遊技機の遊技機枠。
【発明の詳細な説明】
【技術分野】
【０００１】
本発明は、遊技機枠からファール球として遊技者に戻される戻球と遊技機枠から賞球や貸球として遊技者に払い出される払出球との経路を区分して、遊技者が戻球の戻りを適切に確認し得る遊技機の遊技機枠に関する。
【背景技術】
【０００２】
球を遊技媒体に使用する遊技機の遊技機枠では、遊技機枠からファール球として遊技者に戻される戻球と遊技機枠から賞球や貸球として遊技者に払い出される払出球とがある。戻球としてのファール球は、遊技機枠の球発射機構から遊技盤の遊技領域に向けて発射された球が遊技領域に到達することなく球発射機構の方向に戻った球であって、このファール球は、球発射機構に戻されることなく戻球取入口部で捕球されて遊技者に戻される。払出球としての賞球は、遊技者による遊技の結果の賞として、遊技機枠の球払出装置から遊技者に払い出される。払出球としての貸球は、遊技者に貸与する球として、遊技機枠の球払出装置から遊技者に払い出される。この戻球と払出球との経路を遊技機枠の内部で区分する構造としては、戻球取入口部から排出された戻球と球払出装置から排出された払出球との双方を遊技者の球として受ける球皿構造体に誘導する横樋の内部に、隔壁で、球払出装置から排出される払出球を球皿構造体に誘導する払出球通路と、戻球取入口部から排出された戻球を球皿構造体に誘導する戻球通路と区分したものが知られている。しかしながら、払出球通路および戻球通路は、横樋の球皿構造体への球出口で合流した構造であるため、戻球と払出球とが球皿構造体に同じ時期に排出された場合、戻球と払出球とが混合された状態で球皿構造体に排出され、遊技者が戻球を見分けることがでず戻球の戻りを確認することできないという欠点がある。また、球を遊技媒体に使用する遊技機の遊技機枠には、球皿構造体に上球受皿部と下球受皿部とを設け、上球受皿部が戻球や払出球で満杯になるのに伴い、戻球や払出球を下球受皿部に誘導して排出するものも知られている。しかしながら、戻球や払出球を上球受皿部に排出し、上球受皿部が戻球や払出球で満杯になったら、戻球や払出球を下球受皿部に排出する構造であるので、戻球と払出球とが球皿構造体に同じ時期に排出された場合、上記と同様、遊技者が戻球を目で見て戻球の戻りを確認することできないという欠点がある。
【特許文献１】特開２００４−６５８３４号公報
【発明の開示】
【発明が解決しようとする課題】
【０００３】
発明が解決しようとする問題点は、遊技機枠の裏側から戻球と払出球とが遊技機枠の前側の球皿構造体に同じ時期に排出された場合、遊技者が戻球を目で見て戻球の戻りを確認することができないという点である。
【課題を解決するための手段】
【０００４】
本発明に係る遊技機の遊技機枠は、遊技機枠の可動枠には遊技盤が取り付けられ、可動枠の裏面には球払出装置が設けられ、可動枠の前面には球皿構造体が前側の横方向に片開き可能に設けられ、閉じられた球皿構造体と可動枠との間には、球を上方の遊技盤の遊技領域に向けて発射する球発射機構と、球発射機構から発射されて遊技領域に到達することなく下方に戻った戻球を取り込む戻球取入口部と、戻球取入口部から可動枠の裏側に排出された戻球および球払出装置から可動枠の裏側に払い出された払出球を遊技盤より下部で誘導する横樋とが配置され、球皿構造体の前面には、遊技に使用する球を入れる上球受皿部と、可動枠の裏側から払出球を上球受皿部に排出する上球取入口と、戻球および払出球を入れる下球受皿部と、可動枠の裏側から戻球を下球受皿部に排出するための下球取入口と、上球受皿部の球を発射する球として球発射機構に供給する球供給口とが設けられ、横樋には、戻球取入口部から可動枠の裏側に排出された戻球を誘導する戻球通路と、球払出装置から可動枠の裏側に払い出された払出球を誘導する払出球通路とが設けられ、球皿構造体の裏面または可動枠の閉じた球皿構造体で塞がれる前壁に横樋の戻球通路から排出される戻球または払出球が上球受皿部から横樋の払出球通路まで満タンとなった後に払出球通路から溢れた払出球を下球受皿部に排出するための下球取入口に排出する皿球受樋が設けられたことを最も主要な特徴とする。皿球受樋に下球受皿部から皿球受樋まで戻球または払出球が満タンとなったことを検出する満タン検出機構を設けたり、横樋には戻球通路と払出球通路とが隔壁で区分され、戻球通路の戻球を流下させる面が払出球通路の払出球を流下させる面よりも下方に位置するように、隔壁が段差として形成されたり、横樋には球払出装置から排出される払出球を払出球通路に向けて誘導する横球受台が着脱可能に取り付けられたりしてもよい。
【発明の効果】
【０００５】
本発明に係る遊技機の遊技機枠は、戻球が横樋の戻球通路を通過して下球受皿部に排出され、払出球が横樋の払出球通路を通過して上球受皿部に排出されるので、戻球と払出球とが球皿構造体に同じ時期に排出された場合でも、遊技者が下球受皿部に排出された戻球を目で見て戻球の戻りを適切に確認することができるという利点がある。皿球受樋に下球受皿部から皿球受樋まで戻球または払出球が満タンとなったことを検出する満タン検出機構を設けられれば、皿球受樋に下球受皿部から皿球受樋まで戻球または払出球が満タンとなるまで、遊技者が下球受皿部に排出された戻球を目で見て戻球の戻りを適切に確認することができるという利点がある。横樋には戻球通路と払出球通路とが隔壁で区分され、戻球通路の戻球を流下させる面が払出球通路の払出球を流下させる面よりも下方に位置するように、隔壁が段差として形成されれば、払出球が上球受皿部から横樋の払出球通路まで満タンとなるのに伴い払出球通路から戻球通路に円滑に流れて下球受皿部に排出されるという利点がある。横樋には球払出装置から排出される払出球を払出球通路に向けて誘導する横球受台が着脱可能に取り付けられれば、横樋に比べて形状の小さな横球受台を交換すればよいので、横樋を交換する場合よりも、経済的に有利であるという利点がある。
【発明を実施するための最良の形態】
【０００６】
図１乃至図１４は、遊技機の１つであるパチンコ機を例とした発明を実施するための最良の形態である。図１は、パチンコ機における遊技機枠１の戻球経路Ｘ１と払出球経路Ｘ２とを模式的に示す。図２は、遊技機枠１の前側からの外観を示す。図３は、遊技機枠１と横樋５６と遊技盤１５０とを分解した前側からの外観を示す。図４は、可動枠３および横樋５６を分解した裏側からの外観を示す。図５のａ図は、横樋５６の前側からの外観を示す。図５のｂ図は、図５のａ図に示す横樋５６をＡ−Ａ線に沿い切断した断面であって、横球受台６８の取付構造を示す。図６のａ図は、満タン検出機構７０が満タン状態を検出していない形態を示す断面を示す。図６のｂ図は、満タン検出機構７０が満タン状態を検出している形態を示す。図７は、変更樋８５の前側からの外観を示す。図８は、球皿構造体６と横樋５６との配置関係の前側からの外観を示す。図９は、球皿構造体６と戻球取入口部４７と横樋５６と変更樋８５との配置関係の平面を示す。図１０は、図９に示すＢ−Ｂ線に沿い切断した断面に相当する断面を示す。図１１は、図９に示すＣ−Ｃ線に沿い切断した断面に相当する断面を示す。図１２は遊技機枠１の遊技終了球経路Ｘ３を構成する部分を示す断面を示す。図１３のａ図は、固定具６６を分解した外観を示す。図１３のｂ図は、固定具６６を固定具取付部６４に取り付けた断面を示す。図１４のａ図は、固定具６６を横樋取付部５２に挿入した断面を示す。図１４のｂ図は、固定具６６を横樋取付部５２に取り付けた断面を示す。この明細書において、「前」、「後」、「裏」、「左」、「右」、「上」、「下」の方向は、図３の状態に遊技機枠１と横樋５６および遊技盤１５０を置いて前側から見た場合に特定される方向である。「後」と「裏」とは同じ方向である。
【０００７】
図１を参照し、遊技機枠１の可動枠３からファール球として遊技者に戻される戻球Ｐ１の戻球経路Ｘ１と遊技機枠から賞球や貸球として遊技者に払い出される払出球Ｐ２の払出球経路Ｘ２とについて説明する。戻球Ｐ１としてのファール球は、遊技機枠１の球発射機構４５から球発射レール４６および球発射通路１６４を経由して遊技盤１５０の遊技領域１５３に向けて発射された球が球発射通路１６４から遊技領域１５３に到達することなく球発射通路１６４を落下して球発射機構４５の方向に戻った球であって、戻球経路Ｘ１で遊技者に戻されるように下球受皿部１１に排出される。つまり、球発射通路１６４を落下した戻球Ｐ１は、球発射通路１６４から戻球取入口部４７に取り込まれ、戻球取入口部４７から戻球連絡口４８を経由して可動枠３の裏側の戻球中継通路９７に取り込まれ、戻球中継通路９７から横樋５６における前側の戻球通路５７に取り込まれ、戻球通路５７から戻球出口６２と球皿構造体６における裏側の皿球受樋５５および下球受皿部１１の下球取入口１６を経由して下球受皿部１１に排出される。
【０００８】
遊技者に遊技の結果の賞として払い出される賞球や遊技者に貸与する球として払い出される貸球としての払出球Ｐ２は、可動枠３の裏側における球払出装置８１から遊技者に払い出される球であって、戻球経路Ｘ１で遊技者に払い出されるように上球受皿部１０に排出される。つまり、球払出装置８１のタンク構造体８２に貯蔵された球が、球払出装置８１の球払出機構８３の払出動作によって、払出球Ｐ２として、球払出装置８１の縦樋８４に払い出される。この縦樋８４に払い出された払出球Ｐ２は、縦樋８４から払出球中継通路９６に取り込まれ、払出球中継通路９６から横樋５６の横球受台６８に取り込まれ、横球受台６８から横樋５６における後側の払出球通路５８に取り込まれ、払出球通路５８から横樋５６の払出球出口６３および上球受皿部１０の上球取入口１３を経由して上球受皿部１０に排出される。
【０００９】
このように、戻球Ｐ１が戻球経路Ｘ１を通過して下球受皿部１１に排出され、払出球Ｐ２が払出球経路Ｘ２を通過して上球受皿部１０に排出されるので、戻球Ｐ１および払出球Ｐ２が同じ時期に横樋５６に排出されても、遊技者が下球受皿部１１に排出された戻球Ｐ１を目で見て戻球Ｐ１の戻りを適切に確認することができるという利点がある。また、払出球Ｐ２は、上球受皿部１０から上球取入口１３と払出球出口６３および横樋５６の横球受台６８を経由して払出球通路５８まで貯まるのに伴い、払出球通路５８から戻球通路５７と戻球出口６２と皿球受樋５５および下球取入口１６を経由して下球受皿部１１に排出される。その状態においても、戻球Ｐ１は、戻球経路Ｘ１を通過して下球受皿部１１に排出される。その後、戻球Ｐ１や払出球Ｐ２が下球受皿部１１から下球取入口１６を経由して皿球受樋５５まで貯まるのに伴い、この貯まった球が皿球受樋５５の満タン検出機構７０を作動し、満タン検出機構７０が電気的な満タン検出信号を制御装置に出力し、制御装置が球払出機構８３の払出動作を停止し、球払出機構８３による払出動作が停止する。よって、戻球Ｐ１や払出球Ｐ２が皿球受樋５５に満タンとなるまで、遊技者が下球受皿部１１に排出された戻球Ｐ１を目で見て戻球Ｐ１の戻りを適切に確認することができるという利点がある。
【００１０】
戻球通路５７は、戻球取入口部４７から排出された戻球を可動枠３の裏側から排出される球として戻球経路Ｘ１で球皿構造体６の下球取入口１６に誘導するために、横樋５６に設けられた通路である。払出球通路５８は、球払出装置８１から排出された払出球を可動枠３の裏側から排出される球として払出球経路Ｘ２で球皿構造体６の上球取入口１３に誘導するために、横樋５６に設けられた通路である。そして、横樋５６には戻球通路５７と払出球通路５８とが隔壁５９で区分され、戻球通路５７の戻球Ｐ１を流下させる面が払出球通路５８の払出球Ｐ２を流下させる面よりも下方に位置するように、隔壁５９が段差として形成されているので、払出球Ｐ２が上球受皿部１０から横樋５６の払出球通路５８まで満タンとなるのに伴い払出球通路５８から戻球通路５７に円滑に流れて戻球出口６２と皿球受樋５５および下球取入口１６を経由して下球受皿部１１に排出されるという利点がある。横樋５６には球払出装置８１から排出される払出球Ｐ２を払出球通路５８に向けて誘導する横球受台６８が着脱可能に取り付けられているので、横球受台６８が払出球Ｐ２で汚損や損傷を受けた場合、横樋５６に比べて形状の小さな横球受台６８を交換すればよいので、横樋５６を交換する場合よりも、経済的に有利であるという利点がある。
【００１１】
図２を参照し、パチンコ機における遊技機枠１の概略について説明する。遊技機枠１は、固定枠２の前側に可動枠３を左側に位置するヒンジ４で前側の横方向に片開き可能にかつ着脱可能（交換可能）に取り付け、可動枠３の前側に、パネル枠５および球皿構造体６を左側に位置するヒンジ７で前側の横方向に片開き可能にかつ着脱可能（交換可能）に取り付けた、構造である。固定枠２は、遊技店の島と呼ばれる図外の遊技機設置構造体に取り付けるための外枠と呼ばれ、前後方向に開放された縦長な長方形の空間を囲む額縁形状である。可動枠３は、前枠または中枠と呼ばれ、遊技主体としての遊技盤１５０を取り付けるものである。パネル枠５は、前後方向に貫通する窓８を囲む額縁形状である。パネル枠５の裏面には、光を透過する性質の有る無色なガラスまたは合成樹脂からなる前面パネル９が、窓８を塞ぐ格好で取り付けられる。球皿構造体６の前面には、上球受皿部１０と下球受皿部１１と球発射操作機構１２とを備える。上球受皿部１０は、下球受皿部１１よりも上方に位置する。
【００１２】
上球受皿部１０は、右側に位置する上球取入口１３から排出された払出球を遊技に使用する球として左側に位置する球供給口１４に流すように誘導する、上方に開放された収容部を構成する。上球取入口１３は、球供給口１４よりも上方に位置する。上球受皿部１０の球供給口１４には、図外の供給口シャッター機構が設けられる。そして、人が上球受皿部１０の前面に設けられた上球排出操作部１５を押すと、供給口シャッター機構が上球受皿部１０と下球受皿部１１とをつなく図外の内部通路を開いて上球受皿部１０の球を上球受皿部１０から下球受皿部１１に排出する。上記人による上球排出操作部１５を押す操作が解除されると、供給口シャッター機構が供給口シャッター機構におけるばねのばね力で上球受皿部１０の球を下球受皿部１１に排出しないように上記内部通路を閉じる。これによって、上球受皿部１０の球が球供給口１４に流入する。
【００１３】
下球受皿部１１は、下球取入口１６から排出された戻球を遊技に使用する球として貯める上方に開放された収容部を構成する。下球受皿部１１の底部には、球排出口１７が設けられる。球排出口１７は、下球受皿部１１の球を下球受皿部１１から下方に排出する部分である。球排出口１７は、蓋１８で塞がれている。蓋１８は、下球受皿部１１の前面に設けられた下球排出操作部１９に図外のリンク機構で連結される。よって、人が球排出操作部１９を押すと、蓋１８が球排出口１７を開くように移動し、下球受皿部１１の球が球排出口１７から下方に置かれた図外のドル箱と呼ばれる球箱に排出される。上記人による下球排出操作部１９を押す操作が解除されると、蓋１８がリンク機構におけるばねのばね力で球排出口１７を塞ぐように移動する。
【００１４】
図３を参照し、遊技機枠１の前側の内部構造について説明する可動枠３は、可動枠本体２６と遊技主体収納構造体２７とを備える。可動枠本体２６は、前後方向に開放された縦長な長方形の空間を囲む額縁形状である。遊技主体収納構造体２７は、可動枠本体２６から内部に延設される。可動枠本体２６の右側部には、施錠装置２９とロック機構３０；３１；３２が設けられる。可動枠３が、閉じられた場合、ロック機構３０によって、固定枠２に、開閉不能に支持される。パネル枠５が、閉じられた場合、ロック機構３１によって、可動枠本体２６に、開閉不能に支持される。球皿構造体６が、閉じられた場合、ロック機構３２によって、可動枠本体２６に、開閉不能に支持される。可動枠３やパネル枠５および球皿構造体６が、閉じられ、ロック機構３０乃至３２で、可動枠３に開閉不能に支持された状態において、遊技店の店員が、図外のキープレート（鍵）を遊技機枠１の前側から施錠装置２９の鍵穴３３に挿入し、当該キープレートを例えば右側に９０度回転操作すると、固定枠２と可動枠３とのロック機構３０による支持形態が解除される。この支持形態の解除後に、店員が、可動枠３を前側に引くことによって、可動枠３は、ヒンジ４を中心として前側に片開きされる。
【００１５】
上記施錠装置２９の鍵穴３３に挿入されたキープレートが、人によって例えば左側に９０度回転操作されると、可動枠３とパネル枠５とのロック機構３１による支持形態が解除される。この支持形態の解除後に、店員が、パネル枠５を前側に引くことによって、パネル枠５は、ヒンジ７を中心として前側に片開きされる。このように、パネル枠５が、前側に開かれた状態において、店員が、可動枠３の前面のロック解除操作体３４を操作すると、可動枠３と球皿構造体６とのロック機構３２による支持形態が解除される。この支持形態の解除後に、店員が、球皿構造体６を前側に引くことによって、球皿構造体６は、ヒンジ７を中心として前側に片開きされる。
【００１６】
遊技主体収納構造体２７は、遊技主体収納室３６と中央開口部３７とを備える。遊技主体収納室３６は、遊技主体収納構造体２７の前側に開放された形状である。中央開口部３７は、遊技主体収納室３６の後壁に形成された前後方向に貫通する。遊技主体収納室３６の左側部には、遊技主体押圧部３８と遊技主体受部３９とを備える。遊技主体押圧部３８は、遊技盤１５０を裏側から前側に押圧する板ばねにより構成される。遊技主体受部３９は、遊技主体押圧部３８で前側に押された遊技盤１５０を前側から受け止める突起により構成される。遊技主体収納室３６の右側部には、遊技主体ロック部材４０を備える。遊技主体ロック部材４０は、遊技主体収納構造体２７から前側に突出する台座の中心にロック操作部４１を回転可能に備える。ロック操作部４１は、台座から前側に突出した操作軸の端部に固定された横長な形態である。
【００１７】
遊技主体収納室３６の下縁部は、遊技盤１５０の下部を搭載する左右方向に水平で平坦な面としての遊技主体棚４２を構成する。遊技主体棚４２の裏面には、球機外排出樋４３が設けられる。球機外排出樋４３は、遊技盤１５０の球案内体１６８から下方に排出された球を可動枠３から図外の遊技機設置構造体における球捕集機構に向けて排出する通路を遊技主体棚４２の裏側に形成する。遊技主体棚４２の前縁から下方に延設された前壁４４の前面には、球発射機構４５、球発射レール４６、戻球取入口部４７、戻球連絡口４８、横樋収納室４９、シャッター５０、シャッター解除機構５１、横樋取付部５２、横樋位置決め部５３を備える。
【００１８】
球発射機構４５は、電力の供給と遮断とを交互に受けることによって、球皿構造体６の球供給口１４から球発射レール４６に供給された１個の球を遊技盤１５０の遊技領域１５３に向けて発射する。球発射レール４６は、球皿構造体６の球供給口１４から供給された１個の球を受け取り、この受け取った球が球発射機構４５で発射されると、この発射された球を、遊技盤１５０における球発射通路１６４の入口に誘導する。戻球取入口部４７は、遊技盤１５０の球発射通路１６４から落下したファール球としての戻球を取り込み、取り込んだ戻球を戻球連絡口４８に排出する。戻球連絡口４８は、前壁４４に前後方向に貫通するように形成され、戻球取入口部４７から取り込んだ戻球を前壁４４の裏側に排出する。横樋収納室４９は、横樋５６を可動枠３の前側から装着するための部分であって、遊技主体棚４２の真下に位置し、前壁４４の前面から裏側に窪む、前側と左側とに開口した窪みである。
【００１９】
シャッター５０は、横樋５６が横樋収納室４９に装着され、球皿構造体６が図３に示すように前側に開かれた場合、横樋５６の球が横樋５６の払出球出口６３から前側に落下するのを防止する部材であって、前壁４４に図外のガイド機構で上下方向に移動可能に装着され、図外のばねで上方に跳ね上げて横樋５６の払出球出口６３を閉じる。横樋５６の構造については、図５で詳述する。シャッター解除機構５１は、開けられた球皿構造体６が可動枠３の方向に閉じられ、この球皿構造体６で押されることにより、シャッター５０をばねのばね力に抗して下方に移動する。このシャッター解除機構５１で下方に移動させられたシャッター５０は、横樋５６の払出球出口６３を開放する。横樋取付部５２は、前壁４４から前側に突出した筒状である。横樋位置決め部５３は、前壁４４から前側に突出した突起である。
【００２０】
球皿構造体６の裏面には、上球取入口１３、球供給口１４、下球取入口１６、シャッター５４、皿球受樋５５を備える。シャッター５４は、球皿構造体６が図３に示すように前側に開かれた場合、上球受皿部１０の球が上球取入口１３から裏側に落下するのを防止する部材であって、球皿構造体６の裏面に図外のガイド機構で上下方向に移動可能に装着され、図外のばねで上方に跳ね上げられて上球取入口１３を閉じる。そして、開けられた球皿構造体６が可動枠３の方向に閉じられた場合、前壁４４の側に設けられた図外の突起で下方に移動する。この下方に移動したシャッター５４は、上球取入口１３を開放する。皿球受樋５５は、可動枠３の裏側から戻球を可動枠３の前側における球皿構造体６の下球受皿部１１に誘導する部材であって、球皿構造体６が可動枠３の方向に閉じられた場合、横樋５６の戻球出口６２の前側に配置される。
【００２１】
皿球受樋５５は、前側に開口した箱形の筐体である。皿球受樋５５の前側の開口が前側に向けられて球皿構造体６の下球取入口１６を覆うように、皿球受樋５５が球皿構造体６の裏面に止ねじで皿球受樋５５の裏側から取り付けられる。皿球受樋５５の裏壁には、戻球入口５５ａが形成される。戻球入口５５ａは、球皿構造体６が可動枠３の方向に閉じられた場合、横樋５６の戻球出口６２につながる。よって、球皿構造体６が閉じられて可動枠３に開閉不能に支持された状態において、横樋５６の戻球出口６２から排出される戻球が皿球受樋５５の戻球入口５５ａから内部を経由して下球取入口１６に排出される。皿球受樋５５は可動枠３の前壁４４に設けられてもよいが、最良の形態のように、皿球受樋５５が球皿構造体６の裏面に設けられれば、皿球受樋５５が図３に示すように前側に開けられた場合、下球受皿部１１に入っている戻球または払出球が下球取入口１６から裏側に落下しないように皿球受樋５５で受け止められるので、下球受皿部１１に入っている戻球または払出球が下球取入口１６から裏側に落下しないようにするためのシャッター機構を球皿構造体６に設ける必要がなく、構造が簡単となるという利点がある。
【００２２】
遊技盤１５０は、方形な板状の前面における内ガイドレール１５１と外ガイドレール１５２とで囲まれた内側の遊技領域１５３に、チャッカ１５４、一般入賞部品１５５、始動入賞部品１５６、可変入賞部品１５７、センター飾り１５８、風車１５９、遊技釘１６０、球戻り防止弁１６１、球反発体１６２、アウト口１６３などの前部品を備える。内ガイドレール１５１の左側部と外ガイドレール１５２の左側部との間の隙間は、球発射機構４５から発射された球を遊技領域１５３に案内する球発射通路１６４である。遊技盤１５０における内ガイドレール１５１および外ガイドレール１５２の外側の非遊技領域には、遊技盤１５０を可動枠３の遊技主体収納室３６に固定するための取付部１６５が、遊技盤１５０の右側部の上下に位置して設けられる。取付部１６５は、遊技主体収納室３６の遊技主体ロック部材４０と係合するロック挿入孔１６６を備える。
【００２３】
非遊技領域の右側の下部には、証紙台１６７が、前後方向に開閉可能に設けられる。証紙台１６７が、遊技盤１５０との連結部である図外のヒンジを中心として前方に開かれることによって、下部の取付部１６５が、非遊技領域の前側から見える格好となる。そして、証紙台１６７が上記ヒンジを中心として後方に閉じられて証紙台受部１６９で受け止められると、取付部１６５が証紙台１６７で覆われて非遊技領域の前側から見えなくなる。閉じられた証紙台１６７の前面には、遊技盤１５０の検査に合格して販売の認可を受けたことを示すための図外の証紙が、貼り付けられる。遊技盤１５０の裏面には、集合樋と呼ばれる球案内体１６８が設けられる。球案内体１６８は、遊技盤１５０の遊技領域１５３から一般入賞部品１５５、始動入賞部品１５６、可変入賞部品１５７に取り込まれて遊技盤１５０の裏面に排出された球を下方の球機外排出樋４３に排出するための部材である。
【００２４】
図４を参照し、可動枠３の裏側の構造について説明する。可動枠３の裏部、具体的には、遊技主体収納構造体２７の裏面には、球払出装置８１が設けられる。球払出装置８１は、タンク構造体８２、球払出機構８３、縦樋８４、変更樋８５を備える。タンク構造体８２および球払出機構８３は、遊技主体収納構造体２７における中央開口部３７よりも上部の位置で左右に並べられ、遊技主体収納構造体２７の裏面に取り付けられる。タンク構造体８２は、遊技機設置構造体の球補給機構から供給された球を貯蔵する上方に開口した球貯蔵室８６、球貯蔵室８６に貯蔵された球を球払出機構８３の球払出動作に伴い球貯蔵室８６から球払出機構８３の球入口に誘導する払出球通路部８７を備える。球払出機構８３は、球払出機構８３における筐体の内部にスプロケットのような払出体８８と払出球検出器８９とを備え、上記筐体の外部に払出体８８を回転駆動するステップモータのような図外のモータを払出駆動源として備え、タンク構造体８２から球払出機構８３に球が供給されている状態において、払出体８８がモータで一方向に回転駆動されると、払出体８８が賞球または貸球としての払出球を１個ずつ分離しつつ払い出し、払出球検出器８９が払出体８８から払い出された払出球を電気的に検出して払出球検出信号を図外の制御装置に出力する。
【００２５】
縦樋８４は、払出球検出器８９を通過して球払出機構８３から下部に排出された球を変更樋８５に排出する通路９０を内部に形成し、遊技主体収納構造体２７における中央開口部３７よりも左部の位置で中央開口部３７の左縁に沿って縦に配置され、遊技主体収納構造体２７の裏面に取り付けられる。変更樋８５の構造については、図７で詳述する。変更樋８５は、縦樋８４の真下の位置で遊技主体収納構造体２７の裏面に取り付けられる。変更樋８５における払出球中継通路９６の球出口９９は、横樋収納室４９の左端部で上壁９１に形成された切欠部９２に配置され、可動枠３に取り付けられた横樋５６の横球受台６８の真上に位置する。よって、球払出装置８１から払い出された払出球は、変更樋８５の払出球中継通路９６から横樋５６の横球受台６８および払出球通路５８を経由して図２に示す球皿構造体６の上球受皿部１０における上球取入口１３に払い出される。変更樋８５における戻球中継通路９７の球出口１０１は、横樋収納室４９の左端部に形成された開口部９３と対向し、可動枠３に対し閉じられた球皿構造体６の皿球受樋５５の左側に連接するように配置される。よって、図１に示す戻球取入口部４７から排出された戻球は、変更樋８５の戻球中継通路９７から横樋５６の戻球通路５７を経由して球皿構造体６の下球受皿部１１における下球取入口１６に排出される。横樋収納室４９の後壁９４には、位置決め部９５が、後壁９４を前後方向に貫通する孔を有する筒状で、後壁９４から裏側に突出して設けられる。位置決め部９５の孔には、横樋５６の裏側に突出した突起として形成された位置決め部６７が嵌め込まれる。
【００２６】
図５を参照し、横樋５６の構造について説明する。図５のａ図において、横樋５６には、戻球経路Ｘ１を構成する戻球通路５７と払出球経路Ｘ２を構成する払出球通路５８とが、隔壁５９で区分されて設けられる。横樋５６は、左右方向に長い帯板状の底壁６０の前縁と後縁および右縁から上方に周壁６１を突出した上方に開口した凹状の形態であって、前側に位置する周壁６１には、戻球出口６２と払出球出口６３とが形成される。隔壁５９は、戻球通路５７における戻球Ｐ１を左側から右側の方向に流下させる面が払出球通路５８における払出球Ｐ２を左側から右側の方向に流下させる面よりも下方に位置するように、底壁６０に段差として形成される。底壁６０の下面からは、固定具取付部６４と位置決め部６５とが下方に突出する。固定具取付部６４には、固定具６６が設けられる。位置決め部６５には、位置決め孔６５ａが前後方向に貫通する。裏側に位置する周壁６１には、位置決め部６７が、左右に位置し、周壁６１の裏面から裏側に突出する。払出球通路５８における払出球Ｐ２を左側から右側の方向に流下させる面の左端部には、横球受台６８が設けられる。横球受台６８の上面には、上方に開口した横球受溝６３ａが設けられる。球受溝６８ａは、横球受台６８の上方から垂直に落下した払出球Ｐ２を払出球通路５８に向くように右側に向けて流下させる部分である。よって、戻球Ｐ１が戻球通路５７における横球受台６８の左側に流入すると、当該戻球Ｐ１は横球受台６８に衝突し、当該戻球Ｐ１の流れる方向が横球受台６８より前側に流れるように変更され、この流れる方向の変化された戻球Ｐ１は、戻球通路５７を左側から右側に直線的に流下する。この流下した、戻球Ｐ１は、隔壁５９における上記右側に直線的に流下する方向と交差する方向の前後方向部分５９ａに衝突し、当該戻球Ｐ１の流れる方向が前後方向部分５９ａに沿って前側に流れるように変更され、この流れる方向の変化された戻球Ｐ１は、戻球通路５７を後側から前側に流れて戻球出口６２に到達する。位置決め部６５には、位置決め孔６５ａが前後方向に貫通する。横球受台６８は、図５のｂ図に示すように、横樋５６と別体に形成され、横樋５６に、横樋５６の下方から止ねじ６９で取り付けられる。
【００２７】
図６を参照し、満タン検出機構７０の構造について説明する。図６のａ図において、満タン検出機構７０は、作動板７１とスイッチボックス７２とを備える。作動板７１は、皿球受樋５５の裏壁に形成された方形な貫通孔７３に挿入可能な大きさの方形板状である。作動板７１が貫通孔７３の内部に挿入され、作動板７１の上端部と皿球受樋５５の裏壁とが軸７４で前後方向に回転可能に連結され、作動板７１およびスイッチボックス７２には、ばね７５が掛け渡される。作動板７１がばね７５のばね力で軸７４を中心として前側に後傾状に押し出され、押し出された作動板７１の下端部が皿球受樋５５の裏壁の前面５５ｂより前側に突出する。押し出された作動板７１の下端部の後縁と皿球受樋５５の裏壁の前面５５ｂとの間の隙間は、球Ｐが当該隙間から貫通孔７３を経由して裏側に落下しないようにかつ当該隙間に挟まらないように、１個の球Ｐの直径よりも小さい。作動板７１の裏面には、突起７６を備える。スイッチボックス７２は、満タン検出器７７のスイッチ釦７８を前側に向け、満タン検出器７７を内部に固定し、貫通孔７３を塞ぐように、皿球受樋５５の裏壁の裏面に、皿球受樋５５の裏側から止ねじ７９で取り付けられる。
【００２８】
図６のｂ図に示すように、横樋５６が図３の横樋収納室４９に嵌め込まれて可動枠３に取り付けられ、下球受皿部１１から皿球受樋５５および満タン検出機構７０まで球Ｐが満杯となり、当該球Ｐが作動板７１の前面をばね７５のばね力に抗して裏側に押し、作動板７１が軸７４を中心として後側に回転し、突起７６がスイッチ釦７８を満タン検出器７７のスイッチボディの方向に押す。これによって、満タン検出器７７のスイッチボディの内部に設けられた可動接点がスイッチ釦７８により固定接点と接触し、満タン検出器７７がオン動作して電気的な満杯検出信号をスイッチボックス７２の内部から外部に引き出された図外の配線で制御装置に出力し、満杯検出信号を受信した制御装置が球払出機構８３のモータの駆動を停止し、球払出機構８３による払出動作が停止する。球Ｐは、図５の戻球Ｐ１または払出球Ｐ２に相当する。
【００２９】
図７を参照し、変更樋８５の構造について説明する。変更樋８５は、払出球中継通路９６と戻球中継通路９７とを内部に備える。払出球中継通路９６は、上部から右に曲がった後に下方に曲がる蛇行した通路であって、縦樋８４から下方に排出された払出球Ｐ２を、払出球経路Ｘ２で、横樋５６の方向に向けて排出するように、払出球Ｐ２の流れる方向を縦方向から右方向に変更する。払出球中継通路９６の球入口９８は、変更樋８５の上面に設けられる。払出球中継通路９６の球出口９９は、変更樋８５における払出球中継通路９６の上面を形成する下面に設けられ、横樋５６における横球受台６８の球受溝６８ａの真上に位置する。よって、払出球中継通路９６の球出口９９から下方に向けて排出された払出球Ｐ２は、払出球経路Ｘ２で球受溝６８ａの上に落下し、球受溝６８ａから横樋５６の払出球通路５８に流れる。戻球中継通路９７は、前側および右側に開口しかつ裏側と左側と上側および下側で閉じられた溝状の通路であって、図３に示す戻球取入口部４７から前壁４４の裏面の側に排出された戻球Ｐ１を可動枠３の裏側から排出される球として横樋５６の戻球通路５７に誘導する。戻球中継通路９７の球入口１００は、変更樋８５の前面に設けられる。戻球中継通路９７の球出口１０１は、変更樋８５における払出球中継通路９６の球出口９９の形成された上面よりも下部で左側に位置して設けられる。
【００３０】
図３を参照し、横樋５６の可動枠３への取り付け方について説明する。パネル枠５および球皿構造体６が開けられた状態において、横樋５６の戻球通路５７および払出球通路５８が上方に向けられ、横樋５６の位置決め部６７が可動枠３の方向に向けられ、横樋５６が可動枠３の前側から横樋収納室４９に挿入されるのに伴い、位置決め孔６５ａが位置決め部５３に嵌め込まれ、位置決め部６５が前壁４４に接触する。このとき、位置決め部６７も図４に示す位置決め部９５に嵌め込まれる。そして、人が横樋５６の固定具６６を前側から後側に押すことによって、固定具６６が横樋取付部５２に嵌め込まれて結合し、固定具取付部６４が前壁４４に接触する。これによって、横樋５６が横樋収納室４９に配置されて可動枠３に取り付けられる。その後、パネル枠５および球皿構造体６が閉じられて可動枠３に支持される。
【００３１】
図８乃至図１１を参照し、横樋５６が可動枠３に取り付けられ、パネル枠５および球皿構造体６が閉じられて可動枠３に支持された状態において、遊技機枠１の裏側から前側に排出される球の流れ方について説明する。図８において、球皿構造体６が閉じられて可動枠３に支持されることによって、球皿構造体６の上球取入口１３が横樋５６の払出球出口６３と前後方向で対向する。図８には、図示を省略したが、球皿構造体６の皿球受樋５５が横樋５６の戻球出口６２に連接され、上球取入口１３と払出球出口６３との間には、図３に示すシャッター５０；５４が昇降し得る隙間が形成され、下降したシャッター５０；５４の上面が払出球出口６３から上球取入口１３に球を流すように上球取入口１３と払出球出口６３との間に配置される。
【００３２】
図９乃至図１１に示すように、戻球取入口部４７および戻球連絡口４８が変更樋８５の戻球中継通路９７に前後方向で連接される。したがって、戻球取入口部４７から排出された戻球は、戻球経路Ｘ１で、横樋５６の戻球通路５７から戻球出口６２と皿球受樋５５下球取入口１６を経由して下球受皿部１１に流出する。変更樋８５の払出球中継通路９６の球出口９９が球皿構造体６の皿球受樋５５の真上に配置される。したがって、図４の球払出機構８３から縦樋８４を経由して変更樋８５に流入した球は、変更樋８５の球出口９９から払出球経路Ｘ２で、横樋５６の払出球通路５８から払出球出口６３上球取入口１３を経由して上球受皿部１０に流出する。
【００３３】
図３に戻り、遊技盤１５０の可動枠３への取り付け方について説明する。パネル枠５および球皿構造体６が開けられた状態において、遊技盤１５０の遊技領域１５３が前側に向けられ、遊技盤１５０の裏面が可動枠３の方向に向けられ、遊技盤１５０が遊技機枠１の前側から遊技主体収納室３６に挿入され、遊技盤１５０の下部が遊技主体棚４２の上に載せられ、遊技盤１５０の左側部が遊技主体押圧部３８と遊技主体受部３９との間に挿入されて前後方向から挟まれた後、遊技盤１５０の右側部が作業者によって後側に押され、遊技主体ロック部材４０のロック操作部４１が取付部１６５のロック挿入孔１６６に後側から挿入されて前側に突出した状態において、作業者がロック操作部４１を例えば右方向に９０度回転操作すると、ロック操作部４１がロック挿入孔１６６の周りにおける取付部１６５と係合し、遊技盤１５０が可動枠３に取り付けられる。また、横樋５６が可動枠３の横樋収納部４９に取り付けられた後、パネル枠５および球皿構造体６が閉じられて可動枠３に支持される。
【００３４】
図３および図１２を参照し、遊技の形態について説明する。図３において、遊技盤１５０および横樋５６が可動枠３に取り付けられ、パネル枠５および球皿構造体６が閉じられて可動枠３に支持され後、遊技店の従業員が図１２に示す電源装置１７０の電源スイッチを投入すると、電源装置１７０が供給された交流電源を直流電源に変換し、変換した直流電源を図１２に示す発射払出制御装置１７１や図外の主制御装置あるいは図外の複合制御装置および図外の図柄制御装置などの制御装置に供給する。
【００３５】
そして、遊技者が図３の球皿構造体６の上球受皿部１０に球を入れて発射操作機構１２を操作すると、発射払出制御装置１７１が球発射機構４５を発射操作機構１２から出力された操作量に応じた発射力で例えば１分間に１から１００発未満までの所定数の間隔で駆動し、球発射機構４５が上球受皿部１０から球発射レール４６に供給された球を１個ずつ遊技盤１５０の球発射通路１６４に向けて発射する。この球発射通路１６４に発射された球が、球発射通路１６４から球戻り防止弁１６１を押し開けて遊技領域１５３に到達した後に遊技領域１５３を流下する過程において、チャッカ１５４、一般入賞部品１５５、始動入賞部品１５６、可変入賞部品１５７などのいずれかの入賞部品に入賞し、それぞれの入賞に対応する賞球としての球が、球払出機構８３から上球受皿部１０に払い出される。
【００３６】
一般入賞部品１５５、始動入賞部品１５６、可変入賞部品１５７に入賞した球は、遊技盤１５０の裏側に排出される。この遊技盤１５０の裏側に排出された球は、図１２に示す球案内体１６８で下方の球機外排出樋４３に排出される。一般入賞部品１５５、始動入賞部品１５６、可変入賞部品１５７などの入賞部品に入賞しないで遊技領域１５３の最下部に流れた球は、アウト口１６３に取り込まれて遊技盤１５０の裏側に排出される。この遊技盤１５０の裏側に排出された遊技の終了した球としての図１２に示す遊技終了球Ｐ３は、遊技終了球経路Ｘ３で球案内体１６８から下方の球機外排出樋４３に排出される。
【００３７】
図１２において、皿球受樋５５が可動枠３に取り付けられた場合、横樋５６の前側に位置する周壁６１が可動枠３における遊技主体棚４２よりも前側に突出し、前側に位置する周壁６１と遊技主体棚４２との間に隙間１７２が左右方向に細長く延びた形状に形成される。隙間１７２の前後方向の寸法は１個の球の直径よりも大きい。よって、遊技盤１５０の遊技領域１５３に球が存在し、前面パネル９が矢印Ｘ４で示す前側に開けられた場合、パネル枠５の前側への開放に伴い遊技領域１５３から落下した球を、隙間１７２から皿球受樋５５に取り込むことができる。具体的には、遊技店の店員が、パネル枠５が閉じられている状態において、遊技領域１５３に球が存在するか存在しないかを前面パネル９の前側から目で確認する。そして、遊技領域１５３に球が存在する場合、遊技店の店員がパネル枠５を前側に開ける際、前面パネル９を横樋５６における前側に位置する周壁６１の真上に到達する地点で止める。これによって、パネル枠５が開けられる際の衝撃により遊技領域１５３からこぼれ出た球は、前面パネル９で下方に誘導されて隙間１７２から皿球受樋５５に取り込まれる。したがって、パネル枠５が開けられる場合、遊技領域１５３から球が店内に散乱する不都合は解決することができる。
【００３８】
図１３のａ図を参照し、固定具６６の構造について説明する。固定具６６は、係合具１１１と操作具１１２とを備える。係合具１１１および操作具１１２は、互いに別々に形成される。係合具１１１は、前後方向に貫通する中心孔１１３を有する円筒本体１１４の一端部に受部１１５を備え、円筒本体１１４の他端部に掛止部１１６を備える。受部１１５は円筒本体１１４の一端部より軸心方向の一方の外側に開口する皿状である。受部１１５と掛止部１１６との間における円筒本体１１４の外周面は、受部１１５の外径と掛止部１１６の外径との双方よりも細い、くびれ部１１７として形成される。掛止部１１６は、割溝１１８によって、周方向に独立した複数の片持ち梁のような弾性片として形成される。割溝１１８は、掛止部１１６の他端部とくびれ部１１７との間を、軸心方向と直径方向とに切り欠かれる。掛止部１１６を構成する各弾性片の中心孔１１３を囲む内面には、突起１１９が、軸心方向に向けて突出する。
【００３９】
操作具１１２は、棒本体１２０の一端部に鍔１２１とくびれ部１２２と摘み１２３とを備え、棒本体１２０の他端部に係合溝１２４を備える。棒本体１２０は、受部１１５の方向から中心孔１１３に挿入されるとともに、中心孔１１３に挿入された場合に突起１１９を中心孔１１３の径方向外側に押して掛止部１１６を押し広げる、太さである。鍔１２１は、棒本体１２０の外径よりも大きな外径であって、受部１１５における周壁で囲まれた内部に取り込まれる大きさである。くびれ部１２２は、鍔１２１から同軸状に突出し、鍔１２１と摘み１２３との双方よりも細い。摘み１２３は、摘み１２３から同軸状に突出し、くびれ部１２２と鍔１２１との双方よりも太い円盤形状である。
【００４０】
図１３のｂ図を参照し、固定具６６が図３の固定具取付部６４に取り付けられた構造について説明する。固定具取付部６４には取付孔１２６が形成される。そして、係合具１１１のくびれ部１１７が、固定具取付部６４の前側から取付孔１２６に嵌め込まれることによって、受部１１５と掛止部１１６とが、取付孔１２６の周囲における固定具取付部６４を挟む格好となり、係合具１１１が、固定具取付部６４に取り付けられ、掛止部１１６が固定具取付部６４の前面１２７より突出する。そして、操作具１１２の棒本体１２０が、係合具１１１の受部１１５の方向から中心孔１１３に挿入されることによって、係合溝１２４が、突起１１９に嵌め込まれた格好となり、操作具１１２が、係合具１１１に取り付けられる。これによって、固定具６６が固定具取付部６４に取り付けられる。
【００４１】
図１４のａ図を参照し、固定具取付部６４に装着された固定具６６が図３の横樋取付部５２に取り付けられる構造について説明する。横樋取付部５２には横樋取付部５２の前面１２９に開口した筒状の取付孔１３０が形成される。そして、固定具取付部６４に取り付けられた固定具６６の固定具取付部６４より裏側に突出した先端部としての係合具１１１における掛止部１１６が、横樋取付部５２の前側から取付孔１３０の内部に挿入され、係合具１１１の周囲における固定具取付部６４の裏面１２８が取付孔１３０の周囲における横樋取付部５２の前面１２９に接触される。
【００４２】
次に、図１４のｂ図に示すように、人が、操作具１１２の摘み１２３を矢印Ｘ５で示す後側に押すことによって、上記突起１１９と係合溝１２４との嵌まり合いが解除され、棒本体１２０が中心孔１１３の内部を奥に進入する。これに伴い、棒本体１２０の外周面が、突起１１９を中心孔１１３の径方向外側に押して、掛止部１１６を押し広げる。この中心孔１１３の径方向外側に押し広げられた掛止部１１６が、取付孔１３０を径方向外側に突っ張るように、取付孔１３０に接触する。これによって、固定具６６が取付孔１３０に押し込まれた形態となり、固定具取付部６４が、横樋取付部５２に、固定具６６で、取り付けられる。
【００４３】
このように固定具取付部６４が、横樋取付部５２に、固定具６６で、取り付けられた状態において、人が、操作具１１２の摘み１２３を矢印Ｘ６で示す前側に引くことによって、棒本体１２０が中心孔１１３の奥から手前に後退する。これに伴い、上記棒本体１２０の外周面による突起１１９に対する中心孔１１３の径方向外側への押し力が弱くなり、掛止部１１６が自身の弾性によって径方向内側に復帰し、突起１１９が係合溝１２４に嵌まり込み、掛止部１１６が取付孔１３０から離れ、図１４のａ図の状態になる。これによって、固定具６６と取付孔１３０との係合が解除された形態となり、人が固定具取付部６４を支持して横樋取付部５２から離れる方向に移動すると、固定具６６の装着されたままの固定具取付部６４が横樋取付部５２から取り外される。
【００４４】
要するに、図３の横樋５６を前後方向に操作することで可動枠３に固定するための固定具６６が横樋５６に設けられ、横樋５６が可動枠３に可動枠３の前側から取り外すことができるので、横樋５６の可動枠３への着脱を容易に行うことができるという利点がある。
【産業上の利用可能性】
【００４５】
図１５は横樋５６の別の形態を示す。図１５において、横球受台６８を交換することはできなくなるが、横球受台６８が横樋５６に一体に設けられる。この場合、横球受台６８と横樋５６とを互いに別体として形成し、横球受台６８を横樋５６に接着剤や超音波振動による接合などの手法で結合して一体化したり、または、横球受台６８を横樋５６とを成形する材料を成形型に注入することによって一体化したりすればよい。
【００４６】
図１６は横樋５６の別の形態を示す。図１６において、横球受台６８に置換し、戻球通路５７と払出球通路５８とを仕切る仕切壁１３１が横樋５６に設けられる。仕切壁１３１は、横樋５６の隔壁５９に沿い底壁６０から上方に突出するが、前後方向部分５９ａには存在しない形態である。仕切壁１３１は、横樋５６に、交換不能に一体に設けてもよく、交換可能に取り付けてもよい。
【００４７】
満タン検出機構７０を皿球受樋５５に設けることに代えて、横樋５６の払出球通路５８に満タン検出機構７０を戻球出口６２の近い所に位置するように設けてもよい。この場合、貫通孔７３は皿球受樋５５に形成されず横樋５６に形成される。満タン検出機構７０を戻球出口６２の近い所に位置するように設けるよりも、最良の形態のように、満タン検出機構７０を皿球受樋５５に設けた方が、下球受皿部から満タン検出機構７０まで戻球または払出球が満タンとなるまで、遊技者が戻球を目で見て良好に確認することができるという利点がある。
【図面の簡単な説明】
【００４８】
【図１】遊技機枠の戻球経路と球払出経路とを示す模式図（最良の形態）。
【図２】遊技機枠を示す斜視図（最良の形態）。
【図３】遊技機枠、横樋、遊技盤を示す分解斜視図（最良の形態）。
【図４】可動枠、横樋を示す分解斜視図（最良の形態）。
【図５】横樋を示す斜視図（最良の形態）。
【図６】図５のＡ−Ａ線断面図（最良の形態）。
【図７】変更樋を示す斜視図（最良の形態）。
【図８】球皿構造体と横樋との配置関係を示す斜視図（最良の形態）。
【図９】球皿構造体と戻球取入口部と横樋と変更樋との配置関係を示す平面図（最良の形態）。
【図１０】図９のＢ−Ｂ線断面図に相当する断面図（最良の形態）。
【図１１】図９のＣ−Ｃ線断面図に相当する断面図（最良の形態）。
【図１２】遊技機枠の遊技終了球経路を示す断面図（最良の形態）。
【図１３】ａ図は固定具を示す分解斜視図、ｂ図は固定具の被取付部材への取付構造を示す断面図（最良の形態）。
【図１４】ａ図は固定具を相手側部材に挿入した形態を示す断面図、ｂ図は固定具を相手側部材に取り付けた形態を示す断面図（最良の形態）。
【図１５】横樋を示す斜視図（別の形態）。
【図１６】横樋を示す斜視図（別の形態）。
【符号の説明】
【００４９】
１      遊技機枠
３      可動枠
６      球皿構造体
１０    上球受皿部
１１    下球受皿部
１３    上球取入口
１４    球供給口
１６    下球取入口
４５    球発射機構
４７    戻球取入口部
５５    皿球受樋
５６    横樋
５７    戻球通路
５８    払出球通路
５９    隔壁
６２    戻球出口
６３    払出球出口
８１    球払出装置
８４    縦樋
１５０  遊技盤
１５３  遊技領域
１６４  球発射通路
【図１】
2006102211.tif 000003
【図２】
2006102211.tif 000004
【図３】
2006102211.tif 000005
【図４】
2006102211.tif 000006
【図５】
2006102211.tif 000007
【図６】
2006102211.tif 000008
【図７】
2006102211.tif 000009
【図８】
2006102211.tif 000010
【図９】
2006102211.tif 000011
【図１０】
2006102211.tif 000012
【図１１】
2006102211.tif 000013
【図１２】
2006102211.tif 000014
【図１３】
2006102211.tif 000015
【図１４】
2006102211.tif 000016
【図１５】
2006102211.tif 000017
【図１６】
2006102211.tif 000018